(57)【要約】      （修正有）【課題】ジューサーで搾った飲料を、そのままミキサー機能を利用してミキシングが可能とする、作業を効率化するジューサーミキサーを提供する。【解決手段】ジューサーで搾ったジュースの受け口容器が、ミキサーの材料を入れるガラス容器となる形状により、ジューサーで搾ったジュースに、蜂蜜とヨーグルトを加えて、即ミキサーで混ぜることが可能となり、ジューサーで搾ったジュースを他の容器に移し変えることなく、ミキサーでミキシングできることを特徴とする作業を効率化する。【選択図】図１
0003143062.tif 000002
【実用新案登録請求の範囲】
【請求項１】
ジューサーで搾ったジュースの受け口容器が、ミキサーの材料を入れるガラス容器となる構成のジューサーミキサーで、ジューサーで搾ったジュースに、牛乳、蜂蜜、ヨーグルト、卵などと言ったジューサー使用に適さない材料を、ミキサーで搾ったジュースと、同時的作業で混ぜることが可能な、ジューサーのジュース受け口がミキサーの材料を入れるガラス容器となる形状により、ジューサーで搾ったジュースを他の容器に移し変えることなく、即ミキサーでミキシングできる構成を特徴とする、ジューサーの受け口がミキサーの材料を入れるガラス容器となることを特徴とする、作業を効率化するジューサーミキサー。
【請求項２】
ジューサーで搾ったジュースの受け口容器が、ミキサーの材料を入れるガラス容器となる構成のジューサーミキサーで、同一モーターによりジューサーとミキサーを回転させることを特徴とし、ジューサーで搾ったジュースに、牛乳、蜂蜜、ヨーグルト、卵などと言ったジューサー使用に適さない材料を、ミキサーで搾ったジュースと、同時的作業で混ぜることが可能な、ジューサーのジュース受け口がミキサーの材料を入れるガラス容器となる形状により、ジューサーで搾ったジュースを他の容器に移し変えることなく、即同一モーターを使用してミキサーでミキシングできる構成を特徴とする、ジューサーの受け口がミキサーの材料を入れるガラス容器となることを特徴とする、作業を効率化するジューサーミキサー。
【考案の詳細な説明】
【技術分野】
【０００１】  本考案は、ジューサー機能の利点と、ミキサー機能の利点を同時的作業で利用する目的で、ジューサーのジュース受け口がミキサーの材料を入れるガラス容器となっていて、ジューサーで搾った飲料を、そのままミキサー機能を利用してミキシングが可能とする、作業を効率化するジューサーミキサーである。
【背景技術】
【０００２】  従来は、ジューサーで搾ったジュースに卵、ヨーグルト、牛乳などを混ぜるときは、そのジューサーで搾ったジュースをミキサー容器に移し変えて材料を加えてからミキシングすることになる。この場合の作業はジューサーとミキサーの２台が必要であり、且つ移し変える作業及びその容器洗浄にも時間と労力を要することになる。つまり、ジューサーで搾ったジュースをミキサー容器に移し変え、そのミキサー容器に卵、ヨーグルト、牛乳などを入れてミキサーを回転させることになり、ジューサーとミキサーの２台を別々に使用する必要がある。
【考案の開示】
【考案が解決しようとする課題】
【０００３】  従来技術の構成では、ジューサー単独での卵、ヨーグルト、蜂蜜、牛乳などのミキシンクは適さない。例えば、「オレンジグレープフルーツ蜂蜜ヨーグルトドリンク」を作るときは、オレンジとグレープフルーツをジューサーで搾り、そのジューサー内のジュースをミキサー容器に移し替えてから蜂蜜とヨーグルトを入れてミキシングすることになる。ジューサーに適した材料はジューサーで、ミキサーに適した材料はミキサーでミキシングするのが美味しい飲み物を作るこつであるが、２台の機器を使用するのは非効率的であり、製造時間も２倍程度必要となり、特に効率性を重視する業務用の場合は問題であり、それらを解決する必要がある。【０００４】  ジューサーで卵、蜂蜜、ヨーグルトをミキシングすると廃棄する必要がない原材料の一部を捨てることとなり非効率である。又、ミキサーで果物オレンジや果物グレープフルーツをミキシングすると、果物の繊維が残ることが多く、同一材質の飲物ジュースとならないことがあり、フィルターなどで繊維を取り除く場合もある。ジューサーとミキサーの２台を使用する非効率性を、実質的に１台の機器で行えるようにするものである。
【課題を解決するための手段】
【０００５】  請求項１は、ジューサーで搾ったジュースの受け口容器が、ミキサーの材料を入れるガラス容器となる構成のジューサーミキサーで、ジューサーで搾ったジュースに、牛乳、蜂蜜、ヨーグルト、卵などと言ったジューサー使用に適さない材料を、ミキサーで搾ったジュースと、同時的作業で混ぜることが可能な、ジューサーのジュース受け口がミキサーの材料を入れるガラス容器となる形状により、ジューサーで搾ったジュースを他の容器に移し変えることなく、即ミキサーでミキシングできる構成を特徴とする、ジューサーの受け口がミキサーの材料を入れるガラス容器となることを特徴とする、作業を効率化するジューサーミキサーである。【０００６】  請求項２は、ジューサーで搾ったジュースの受け口容器が、ミキサーの材料を入れるガラス容器となる構成のジューサーミキサーで、同一モーターによりジューサーとミキサーを回転させることを特徴とし、ジューサーで搾ったジュースに、牛乳、蜂蜜、ヨーグルト、卵などと言ったジューサー使用に適さない材料を、ミキサーで搾ったジュースと、同時的作業で混ぜることが可能な、ジューサーのジュース受け口がミキサーの材料を入れるガラス容器となる形状により、ジューサーで搾ったジュースを他の容器に移し変えることなく、即同一モーターを使用してミキサーでミキシングできる構成を特徴とする、ジューサーの受け口がミキサーの材料を入れるガラス容器となることを特徴とする作業を効率化するジューサーミキサーである。
【考案の効果】
【０００７】  ジューサーの欠点をミキサーで補い、ミキサーの欠点をジューサーで補うことを目的に、ジューサーとミキサーを１台の機器として組み合わせて、特にジューサーのジュース受け口がミキサーでミキシングする材料を入れる容器とすることにより、ジューサーで搾ったジュースを移し変えることなく、そのままミキサーとしてミキシング可能とすることにより、特に業務用としての効率性を可能とするものである。つまり、ジューサーのジュース受け口がミキサーでミキシングする材料を入れる容器とすることにより解決する。【０００８】  請求項２は、加えて、更に効率的とする目的で、製造上の効率化を目的としてジューサーとミキサーを一台の機器として組み合わせて、ジューサーを回転させるモーターとミキサーを回転させるモーターを同じモーターを使用し、上記で示した容器を同一とすることによる効率化に加えて、モーターも同一のモーターを使用することにより解決する。【０００８】  特に、業務用の場合はファーストフーズ店など、製造時間の早さが必要であり、２台の機器を使用するときと比べて製造時間の大幅な短縮を可能とし、更に、その機器の洗浄時間も２台と比べて大幅に減らすことを可能とし、生産性向上を達成することにより低コストの商品開発を可能とする。
【考案を実施するための最良の形態】
【０００９】  請求項１の図１は、ジューサーにより果物などを搾り、ジュース投入口（６）からジュース容器（７ａ）にジュースが入る。そのジュース容器（７ａ）がミキサーのミキシングする材料を入れるガラス容器（７ａ）となっていて、（７ａ）にジューサー使用に適さない卵、蜂蜜、ヨーグルトなどの材料を入れてミキシングすることが可能となる。よって、ジューサー使用後にミキサーを即使用することが可能な作業を効率化するジューサーミキサーの図である。又、ジューサー本体（１）の回転はジューサー本体内のモーターを使用し、スイッチ（２）により作動・停止を行う。ミキサーの回転はミキサー本体内（７ｂ）のモーターを使用し、スイッチ（８）により作動・停止を行う。【００１０】  請求項２の図２は、ジューサーにより果物などを搾り、ジュース投入口（１６）からジュース容器（１４ａ）にジュースが入る。そのジュース容器（１４ａ）がミキサーのミキシングする材料を入れるガラス容器（１４ａ）となっていて、（１４ａ）にジューサー使用に適さない卵、蜂蜜、ヨーグルトなどの材料を入れてミキシングすることが可能となる。よって、ジューサー使用後にミキサーを即使用することが可能な作業を効率化するジューサーミキサーの図である。更にジューサー本体（９）のモーターを使用してミキサーカッター（１４ｃ）を回転させる構造であり、ジューサー本体（９）のモーターの回転をベルト（１５）により伝達してミキサーカッター（１４ｃ）を回転させる構造の図である。
【図面の簡単な説明】
【００１１】
【図１】  請求項１のジューサーミキサーの図である。ジューサーとミキサーのモーターは別のものを使用する。
【図２】  請求項２のジューサーミキサーの図である。ジューサーとミキサーのモーターは同一のモーターを使用する。
【符号の説明】
【００１２】１      ジューサー本体
２      ジューサーの「回転」、「停止」の切り替えスイッチ
３      ジューサーで搾ったジュース以外の残り物入れ
４      ジューサーで搾る果物などを入れる筒状部
５      ジューサーで搾る果物などを押し込む円柱部
６      ジューサーで搾ったジュース投入口
７ａ    ジューサーのジュース受け容器、兼ミキサーの材料入れガラス容器
７ｂ    ミキサー本体（モーター付）
７ｃ    ミキサーの刃
８      ミキサーのモーターの「回転」、「停止」のスイッチ
９      ジューサー本体
１０    「ジューサー回転」、「停止」、「ミキサー回転」の切り替えスイッチ
１１    ジューサーで搾ったジュース以外の残り物入れ
１２    ジューサーで搾る果物などを入れる筒状部
１３    ジューサーで搾る果物などを押し込む円柱部
１４ａ  ジューサーのジュース受け口、兼ミキサーの材料入れガラス容器
１４ｂ  ミキサー本体（モーターは無い）
１４ｃ  ミキサーの刃
１５    ジューサーのモーター回転をミキサーに伝達するベルト
１６    ジューサーのジュース投入口
【図１】
0003143062.tif 000003
【図２】
0003143062.tif 000004